(57)【要約】      （修正有）【課題】葬儀を円滑に行うために、敬供物と弔電を正確に届けることができると共に、故人に対する感謝の気持ちを、より強く伝えることのできる葬儀書面セットを提供する。【解決手段】故人の氏名や年齢などが記載された故人欄１ａ、通夜および葬儀の日時や場所などが記載された葬儀場欄１ｂ、喪主の氏名や住所などが記載された喪主欄１ｃを備え、葬儀場および喪主から関係者に送付される訃報書面１と、複数の敬供物および模擬電報が見本として掲載された案内欄を備え、依頼により葬儀場から関係者に送付される案内書面と、案内欄に掲載された敬供物の中から選択したものを記す敬供物選択欄、および複数の弔文Ｌが記載され、その中から選択したものを記す弔文選択欄、香典料選択欄を備え、依頼により葬儀場から関係者に送付され、関係者から葬儀場に折返し送付される注文書面と、で構成する。【選択図】図１
0003136843.tif 000002
【実用新案登録請求の範囲】
【請求項１】
少なくとも，故人の氏名や年齢などが記載された故人欄（１ａ），通夜および葬儀の日時や場所などが記載された葬儀場欄（１ｂ），喪主の氏名や住所などが記載された喪主欄（１ｃ）を備え，葬儀場から喪主を介して関係者に送付される訃報書面（１）と、複数の敬供物（Ｆ）および模擬電報（４）が見本として掲載された案内欄（２ａ）を備え，依頼により葬儀場から関係者に送付される案内書面（２）と、前記案内欄に掲載された敬供物の中から選択したものを記す敬供物選択欄（３ａ），および複数の弔文（Ｌ）が記載され，その中から選択したものを記す弔文選択欄（３ｂ）を備え，依頼により前記葬儀場から関係者に送付され，該関係者から葬儀場に折返し送付される注文書面（３）と、からなることを特徴とする葬儀書面セット。
【請求項２】
少なくとも，故人の氏名や年齢などが記載された故人欄（１ａ），通夜および葬儀の日時や場所などが記載された葬儀場欄（１ｂ），喪主の氏名や住所などが記載された喪主欄（１ｃ）を備え，葬儀場から喪主を介して関係者に送付される訃報書面（１）と、複数の敬供物（Ｆ）および模擬電報（４）が見本として掲載された案内欄（２ａ）を備え，依頼により葬儀場から関係者に送付される案内書面（２）と、前記案内欄に掲載された敬供物の中から選択したものを記す敬供物選択欄（３ａ），および複数の弔文（Ｌ）が記載され，その中から選択したものを記す弔文選択欄（３ｂ）を備え，依頼により前記葬儀場から関係者に送付され，該関係者から葬儀場に折返し送付される注文書面（３）と、前記弔文選択欄において選択された弔文が弔電を模して記載され，葬儀場から喪主に手渡される前記模擬電報と、からなることを特徴とする葬儀書面セット。
【請求項３】
少なくとも，故人の氏名や年齢などが記載された故人欄（１ａ），通夜および葬儀の日時や場所などが記載された葬儀場欄（１ｂ），喪主の氏名や住所などが記載された喪主欄（１ｃ）を備え，葬儀場から喪主を介して関係者に送付される訃報書面（１）と、複数の敬供物（Ｆ）および模擬電報（４）が見本として掲載された案内欄（２ａ）を備え，葬儀場から関係者に送付される案内書面（２）と、前記案内欄に掲載された敬供物の中から選択したものを記す敬供物選択欄（３ａ），および複数の弔文（Ｌ）が記載され，その中から選択したものを記す弔文選択欄（３ｂ）を備え，前記葬儀場から関係者に送付され，該関係者から葬儀場に折返し送付される注文書面（３）と、前記弔文選択欄において選択された弔文が弔電を模して記載され，葬儀場から喪主に手渡される前記模擬電報と、からなり、前記模擬電報（４）は，弔文と真珠（Ｐ）を備えた真珠模擬電報（４ａ）と，弔文とお供えとなる商品券（Ｇ）を備えたお供え模擬電報（４ｂ）と，弔文（Ｌ）とご香料となる商品券（Ｇ）を備えた香典模擬電報（４ｃ）とを含むことを特徴とする葬儀書面セット。
【考案の詳細な説明】
【技術分野】
【０００１】
本考案は、葬儀を円滑に行うために使用する葬儀書面セットに関するものである。
【背景技術】
【０００２】
葬儀に、例えば、遠方に在住しているなどの理由によって出席できない場合、生花などの敬供物や弔電を葬儀場に送ることが多々ある。その場合、敬供物と弔電はそれぞれ別々の業者に手配する必要があり、それぞれ電話などの口頭で行う場合が多いので、敬供物や弔電の内容が間違ってしまう場合がある。また、葬儀場の場所（住所）や葬儀の日時が誤って伝わってしまい、敬供物や弔電が該当場所や該当日時に正確に届かないといったこともある。その結果、葬儀が円滑に行われないといった事態が発生する。
【０００３】
なお、結婚式などにおいてお祝いの気持ちを表す祝い状は、知らされているが（特許文献１参照）、葬儀に関する書面についての出願はなされていない。
【特許文献１】実用新案登録第３１２５８２９号公報
【考案の開示】
【考案が解決しようとする課題】
【０００４】
こうした問題は、敬供物と弔電の依頼を、それぞれ異なった業者に行う必要があることに大きく起因する。従って、全てを一つの業者に依頼することができれば、こうした問題は解消される。
【０００５】
また、弔電は故人に哀悼の意を表すと共に、生前の厚情に対する感謝の意を表すものであるが、そうした感謝の気持ちを弔文の他に、形としても表すことができれば、その気持ちをより強く伝えることができる。
【０００６】
本考案はこうした問題に鑑み創案されたもので、葬儀を円滑に行うために、敬供物と弔電を正確に届けることができると共に、故人に対する感謝の気持ちを、より強く伝えることのできる葬儀書面セットを提供することを課題とする。
【課題を解決するための手段】
【０００７】
図１乃至図３を参照して説明する。請求項１に記載の葬儀書面セットは、少なくとも、故人の氏名や年齢などが記載された故人欄１ａ、通夜および葬儀の日時や場所などが記載された葬儀場欄１ｂ、喪主の氏名や住所などが記載された喪主欄１ｃを備え、葬儀場から喪主を介して関係者に送付される訃報書面１と、複数の敬供物Ｆおよび模擬電報４が見本として掲載された案内欄２ａを備え、依頼により葬儀場から関係者に送付される案内書面２と、前記案内欄に掲載された敬供物Ｆの中から選択したものを記す敬供物選択欄３ａ、および複数の弔文Ｌが記載され、その中から選択したものを記す弔文選択欄３ｂを備え、依頼により前記葬儀場から関係者に送付され、該関係者から葬儀場に折返し送付される注文書面３と、からなることを特徴とする。
【０００８】
なお、「送付する」とは、郵送（配達）の他に、ファクシミリによる場合を含む（以下、同じ）。また、「葬儀場」には、それに直接関係する業者を含む（以下、同じ）。
【０００９】
請求項２に記載の葬儀書面セットは、少なくとも、故人の氏名や年齢などが記載された故人欄１ａ、通夜および葬儀の日時や場所などが記載された葬儀場欄１ｂ、喪主の氏名や住所などが記載された喪主欄１ｃを備え、葬儀場から喪主を介して関係者に送付される訃報書面１と、複数の敬供物Ｆおよび模擬電報４が見本として掲載された案内欄２ａを備え、依頼により葬儀場から関係者に送付される案内書面２と、前記案内欄２ａに掲載された敬供物Ｆの中から選択したものを記す敬供物選択欄３ａ、および複数の弔文Ｌが記載され、その中から選択したものを記す弔文選択欄３ｂを備え、依頼により前記葬儀場から関係者に送付され、関係者から葬儀場に折返し送付される注文書面３と、前記弔文選択欄３ｂにおいて選択された弔文Ｌが弔電を模して記載され、葬儀場から喪主に手渡される前記模擬電報４と、からなることを特徴とする。
【００１０】
請求項３に記載の葬儀書面セットは、少なくとも、故人の氏名や年齢などが記載された故人欄１ａ、通夜および葬儀の日時や場所などが記載された葬儀場欄１ｂ、喪主の氏名や住所などが記載された喪主欄１ｃを備え、葬儀場から喪主を介して関係者に送付される訃報書面１と、複数の敬供物Ｆおよび模擬電報４が見本として掲載された案内欄２ａを備え、依頼により葬儀場から関係者に送付される案内書面２と、前記案内欄２ａに掲載された敬供物Ｆの中から選択したものを記す敬供物選択欄３ａ、および複数の弔文Ｌが記載され、その中から選択したものを記す弔文選択欄３ｂを備え、依頼により前記葬儀場から関係者に送付され、該関係者から葬儀場に折返し送付される注文書面３と、前記弔文選択欄３ｂにおいて選択された弔文Ｌが弔電を模して記載され、葬儀場から喪主に手渡される前記模擬電報４と、からなり、前記模擬電報４は、弔文Ｌと真珠Ｐを備えた真珠模擬電報４ａと、弔文Ｌとお供えとなる商品券Ｇを備えたお供え模擬電報４ｂと，弔電Ｌとご香料となる商品券Ｇを備えた香典模擬電報４ｃとを含むことを特徴とする。
【考案の効果】
【００１１】
請求項１に記載の葬儀書面セットは、訃報書面１、案内書面２、および注文書面３からなるので、敬供物Ｆおよび弔文Ｌ（模擬電報４）を正確に準備することができ、これによって、葬儀を円滑に行うことができる。
【００１２】
すなわち、訃報書面１には、故人欄１ａ、葬儀場欄１ｂおよび喪主欄１ｃが設けられているので、故人の氏名や葬儀の日時等を関係者に文書で正確に知らせることができる。また、案内書面２には、複数の敬供物Ｆと模擬電報４の案内を記載した案内欄２ａが設けられているので、関係者はこの案内欄２ａの中から好みの敬供物Ｆや模擬電報４を、その場（例えば自宅）で充分に時間をかけて選択することができる。
【００１３】
また、注文書面３には、敬供物選択欄３ａおよび複数の弔文Ｌや弔文選択欄３ｂが設けられているので、同様に、関係者は充分に時間をかけて選択した敬供物Ｆや弔文Ｌを記して、葬儀場に送付することができる。従って、例えば、電話や口頭で業者に注文する場合と異なり、個々の選択を正確に伝えることができる。
【００１４】
請求項２に記載の葬儀書面セットは、請求項１に記載の考案と同様の効果を発揮する。また、この葬儀書面セットは模擬電報４を備え、この模擬電報４には、注文書面３に記した弔文Ｌが記載されるので、例えば、電話などで依頼するのと異なり、正確に記載される。なお、この弔文Ｌは、弔電を模して記載されているので、従前の形式を重んずる関係者等にも気持ちよく受け入れられる。従って、葬儀を正確かつ円滑に行うことができる。
【００１５】
請求項３に記載の葬儀書面セットは、請求項１および２に記載の考案と同様の効果を発揮する。また、模擬電報４は、弔文Ｌと真珠Ｐを備えた真珠模擬電報４ａ、または弔文Ｌとお供えとなる商品券Ｇを備えたお供え模擬電報４ｂ、もしくは弔電Ｌとご香料となる商品券Ｇを備えた香典模擬電報４ｃを含むので、故人に対する感謝の気持ちを、真珠Ｐや商品券Ｇといった形に変えて、より強く示すことができる。
【００１６】
なお、真珠Ｐは、イヤリングや携帯ストラップなどの製品に加工することによって、故人に対する感謝の気持ちを、より強く表すことができる。また、多くの関係者から複数の真珠模擬電報４ａが送られた場合には、その複数の真珠Ｐで数珠やお守りブレスなどの加工製品として、故人に対する感謝の気持ちをさらに大きな形として表すことができる。
【考案を実施するための最良の形態】
【００１７】
本考案に係る葬儀書面セットの実施形態を、図１乃至図３に示す。この葬儀書面セットは、訃報書面１、案内書面２、注文書面３および模擬電報４とで構成される。訃報書面１は、故人の氏名、年齢、所属していた会社名、享年、死亡年月日が記載された故人欄１ａ、通夜および葬儀の日時や場所などが記載された葬儀場欄１ｂと、喪主の氏名、故人との続柄、住所、電話番号が記載された喪主欄１ｃとを備える。この訃報書面１は、葬儀場および喪主から関係者に送付される。
【００１８】
案内書面２は、複数の敬供物Ｆおよび弔文Ｌの案内が記載された案内欄２ａを備えるもので、依頼により葬儀場から関係者に送付される。この案内書面２には、敬供物Ｆとして３〜４種類の生花が掲載されている。また、模擬電報４の見本として、真珠模擬電報４ａと，お供え模擬電報４ｂと，香典模擬電報４ｃの３種類が掲載されている。
【００１９】
注文書面３は、案内欄２ａに掲載された敬供物Ｆの中から関係者が選択したものを記す敬供物選択欄３ａと、複数の弔文Ｌが記載され、その中から関係者が選択したものを記す弔文選択欄３ｂとを備える。この注文書面３には、七つの弔文Ｌが示されている。この注文書面３は、依頼により、葬儀場から関係者に送付され、その関係者から葬儀場に折返し送付されるものである。
【００２０】
模擬電報４は、弔文選択欄３ｂにおいて関係者によって選択された弔文Ｌが、弔電を模して記載されたもので、葬儀場で公表されると共に喪主に手渡されるものである。なお、本実施形態における模擬電報４は、弔文Ｌと真珠Ｐを備えた真珠模擬電報４ａと、弔文Ｌとお供えとなる商品券Ｇを備えたお供え模擬電報４ｂと、弔文Ｌとご香料（即ち香典料）となる商品券Ｇを備えた香典模擬電報４ｃとを有する。
【００２１】
本実施形態に係る葬儀書面セットは、次のようにして使用することができる。図４を参照して説明する。まず、喪主から葬儀場に葬儀の申し込みがあると、葬儀場は、訃報書面（訃報用紙）１を喪主に手渡し、喪主（あるいは葬儀場）が必要事項を記載した後、親族、企業、団体などの関係者に送付する。訃報書面１を受け取った関係者が、敬供物Ｆや弔電についての問い合わせを葬儀場に行うと、葬儀場は関係者に案内書面２と注文書面３をファクシミリで送付する。（図４中においては訃報書面１を「マル１」で、案内書面２を「マル２」で、注文書面３を「マル３」で表わす）
【００２２】
案内書面２および注文書面３を受け取った関係者は、敬供物選択欄２ａの中から好みのものを選択し、注文書面３の敬供物選択欄３ａにその数や金額などを記載する。また、注文書面３の弔文Ｌの中から好みのものを選択し、その番号を弔文選択欄３ｃに記した後、当該注文書面３を葬儀場にファクシミリで送付して発注する。
【００２３】
葬儀場は、この発注に基づいて敬供物Ｆ（生花）を供え、また、模擬電報４を作成し、葬儀において公表すると共に喪主に手渡す。
【００２４】
このようにして使用される本実施形態に係る葬儀書面セットによって、敬供物Ｆおよび模擬電報４は、葬儀場において正確に準備されるので、葬儀は円滑に行なわれる。
【００２５】
すなわち、訃報書面１には、故人欄１ａ、葬儀場欄１ｂおよび喪主欄１ｃが設けられているので、故人の氏名や葬儀の日時等を関係者に文書で正確に知らせることができる。また、案内書面２には、複数の敬供物Ｆと模擬電報４に見本を掲載した案内欄２ａが設けられているので、関係者はこの案内欄２ａの中から好みの敬供物Ｆや模擬電報４を、その場（例えば自宅や会社）で充分に時間をかけて選択することができる。
【００２６】
また、注文書面３には、敬供物選択欄３ａおよび弔文選択欄３ｃが設けられているので、同様に、関係者は充分に時間をかけて選択した敬供物Ｆや弔文Ｌを記すことができる。従って、例えば、電話や口頭で業者に注文する場合と異なり、個々の選択を葬儀場に正確に伝えることができる。
【００２７】
そして、模擬電報４には、注文書面３に記した弔文Ｌが記載されるので、例えば、電話などで依頼するのと異なり、正確である。なお、この弔文Ｌは、弔電を模して記載されているので、従前の形式を重んずる関係者等にも受け入れられる。従って、葬儀を正確かつ円滑に行うことができる。
【００２８】
また、模擬電報４は、弔文Ｌと真珠Ｐを備えた真珠模擬電報４ａと，弔文Ｌとお供えとなる商品券Ｇを備えたお供え模擬電報４ｂと，弔電Ｌと香典料となる商品券Ｇを備えた香典模擬電報４ｃとを含むので、故人に対する感謝の気持ちを、真珠Ｐや商品券Ｇといった形に変えて、より強く示すことができる。
【００２９】
なお、真珠Ｐは、イヤリングや携帯ストラップなどの製品に加工することによって、故人に対する感謝の気持ちを、より強く表すことができる。また、多くの関係者から複数の真珠模擬電報４ａが送られた場合には、その複数の真珠Ｐで数珠やお守りブレスなどの加工製品として、故人に対する感謝の気持ちをさらに大きな形として表すことができる。
【図面の簡単な説明】
【００３０】
【図１】本考案に係る葬儀書面セットの訃報書面を示す図である。
【図２】本考案に係る葬儀書面セットの案内書面を示す図である。
【図３】本考案に係る葬儀書面セットの注文書面を示す図である。
【図４】本考案に係る葬儀書面セットの使用例を示すフローチャートである。
【符号の説明】
【００３１】
１        訃報書面
１ａ      故人欄
１ｂ      葬儀場欄
１ｃ      喪主欄
２        案内書面
２ａ      案内欄
３        注文書面
３ａ      敬供物選択欄
３ｂ      弔文選択欄
４        模擬電報
４ａ      真珠模擬電報
４ｂ      お供え模擬電報
４ｃ      香典模擬電報
Ｆ        敬供物（生花）
Ｇ        商品券
Ｌ        弔文
Ｐ        真珠
【図１】
0003136843.tif 000003
【図２】
0003136843.tif 000004
【図３】
0003136843.tif 000005
【図４】
0003136843.tif 000006